(57)【要約】【解決手段】使い捨てカイロ１の通気面２を覆って、非通気性シート３を貼り付ける。非通気性シート３には、複数の区画に区分するための切取線４を設ける。切取線４は、非通気性シート３を予め切断しておいてもよく、又は、非通気性シート３にミシン目を入れてもよい。非通気性シート３は、紙又は合成樹脂フィルム等であって空気を通さない材質のものを使用し、その裏面即ち使い捨てカイロ１の通気面２に接する面に接着剤を塗布して、使い捨てカイロ１の通気面２に貼り付けるが、その接着剤は、非通気性シート３が指によって容易に剥離できる程度の接着力を有する材質のものを使用する。【効果】非通気性シート３を、切取線４によって任意の区画を剥離すると、通気面２からの通気が少なくなり、使い捨てカイロ１内部での化学反応が緩慢となるので、発熱温度が低くなる一方、発熱持続時間は長くなる。【選択図】図１
0003140728.tif 000002
【実用新案登録請求の範囲】
【請求項１】
一面に微細通気孔を有する通気面が形成された使い捨てカイロであって、この通気面の全面に空気を遮断するための非通気性シートを剥離可能に貼り付けるとともに、この非通気性シートを複数区画に区分する切取線を設けて、この非通気性シートの区画を切り取ることにより前記通気面の通気面積を調整できるようにしたことを特徴とする使い捨てカイロ。
【請求項２】
前記非通気性シートの複数区画の各区画に剥離用の摘み片を設けたことを特徴とする、請求項１記載の使い捨てカイロ。
【請求項３】
一面に微細通気孔を有する通気面が形成された使い捨てカイロの通気面に貼るための非通気性シートであって、この非通気性シートを複数区画に区分する切取線を設け、かつ、この複数区画の各区画に摘み片を設けるとともに、この摘み片の部分を除いた非通気性シートの裏面に粘着剤を塗布し、台紙に再剥離可能に貼り付けたことを特徴とする、使い捨てカイロ用の発熱調整用シート。
【考案の詳細な説明】
【技術分野】
【０００１】  本考案は、発熱温度と発熱持続時間とを調整できるようにした使い捨てカイロと、使い捨てカイロ用の発熱調整シートに関するものである。
【背景技術】
【０００２】  現在、一般に市販されている使い捨てカイロは、不織布や紙の袋に空気中で酸化発熱する鉄粉と活性炭、バーミキュライトを入れたものが一般的であり、通常触媒として塩及び水なども入れられている。この使い捨てカイロは、商品の形態としては、気密性のある袋に封入した状態で販売され、使用するときにこの袋から取り出して人体に装着すると、空気中の酸素が使い捨てカイロの内部に通気して内部の発熱体が反応し、発熱するようになっている。【０００３】  このような使い捨てカイロは、一面に微細通気孔を有する通気面が形成され、他面は非通気性で粘着面が形成され、その粘着面には剥離可能な保護紙が貼られている。この種の使い捨てカイロは、通常、人体の下着の上から装用し、使用時の平均温度は５０℃前後、最高温度は６０℃前後である。また、４０℃以上を保持する発熱持続時間は１２〜１４時間程度である商品が多い。
このような使い捨てカイロを使用するときは、低温やけど防止のため、肌に直接貼らないこと、肌の同じ部位で長時間使用しないこと、就寝時には使用しないこと等の注意が喚起されている。低温やけど防止のために、市販の使い捨てカイロに輪状又は袋状の「調整カバー」を装着して発熱温度調整、発熱時間調整を図るアイデア（特許文献１）が提案されているが、使い捨てカイロ自体で、ある程度の温度調整、発熱時間調整ができる商品は市場に見当たらず、そのような機能を有する商品の開発が望まれている。
【特許文献１】特開平１０−１４６３５６号公報
【考案の開示】
【考案が解決しようとする課題】
【０００４】  本考案は、上述のような問題点に鑑みてなされたもので、使い捨てカイロ自体で、ある程度の温度調整、発熱時間調整ができる商品を提供することを目的とする。
【課題を解決するための手段】
【０００５】  上記課題を解決するために、本考案の請求項１の使い捨てカイロは、一面に微細通気孔を有する通気面が形成された使い捨てカイロであって、この通気面の全面に空気を遮断するための非通気性シートを剥離可能に貼り付けるとともに、この非通気性シートを複数区画に区分する切取線を設けて、この切取線で非通気性シートの区画を切り取ることにより前記通気面の通気面積を調整できるようにしたことを特徴とする。
本考案は上記のように構成したことにより、使い捨てカイロの通気面の通気面積を調整できるので、発熱温度及び発熱時間を調整することができるという作用効果を奏する。【０００６】  本考案の請求項２の使い捨てカイロは、前記非通気性シートの複数区画の各区画に剥離用の摘み片を設けたことを特徴とする。
本考案は上記のように構成したことにより、剥離用の摘み片を指で摘んで非通気性シートの区画の切り取りを容易に行うことができるという作用効果を奏する。【０００７】  本考案の請求項３の使い捨てカイロ用の発熱調整用シートは、一面に微細通気孔を有する通気面が形成された使い捨てカイロの通気面に貼るための非通気性シートであって、この非通気性シートを複数区画に区分する切取線を設け、かつ、この複数区画の各区画に摘み片を設けるとともに、この摘み片の部分を除いた非通気性シートの裏面に粘着剤を塗布し、台紙に再剥離可能に貼り付けたことを特徴とする。
本考案は上記のように構成したことにより、発熱調整用シートを市販の使い捨てカイロに貼り付けて、この使い捨てカイロの通気面の通気面積を調整できるので、発熱温度及び発熱時間を調整することができ、また、剥離用の摘み片を指で摘んで非通気性シートの区画の切り取りを容易に行うことができるという作用効果を奏する。
【考案の効果】
【０００８】  以上述べたように本考案によれは、容易に使い捨てカイロの発熱温度及び発熱時間を調整することができるというという効果が得られる。
【考案を実施するための最良の形態】
【０００９】  本考案の実施の形態を、実施例に基づき、図を用いて説明する。図１は、本考案の使い捨てカイロの構造を示す説明図である。使い捨てカイロ１の通気面２を覆って、非通気性シート３が貼り付けられている。非通気性シート３には、切取線４が設けられている。切取線４は、非通気性シート３を予め切断しておいてもよく、又は、非通気性シート３にミシン目を入れて切り取り易くしたものであってもよい。本実施例では、非通気性シート３に３本の切取線を設けて４区画に分けてあるが、区画の数は使い捨てカイロの大きさに応じて３区画〜６区画程度とするのが好ましい。
非通気性シート３は、紙又は合成樹脂フィルム等であって空気を通さない材質のものを使用し、その裏面即ち使い捨てカイロ１の通気面２に接する面に接着剤を塗布して、使い捨てカイロ１の通気面２に貼り付けるが、その接着剤は、非通気性シート３が指によって容易に剥離できる程度の接着力を有する材質のものを使用している。
使い捨てカイロ１の通気面２の反対側の面（裏面）は、図示しないが非通気性で粘着面が形成され、その粘着面には剥離可能な保護紙が貼られている。【００１０】  上述の使い捨てカイロ１を使用するときは、裏面の保護紙を剥離して、使い捨てカイロ１の裏面の粘着面を人体の暖めたい部位の下着の上に貼り付け、次に、使い捨てカイロ１の通気面２に貼り付けられた非通気性シート３を、切取線４によって、任意の区画を剥離する。通常は、一番端の区画から剥離し、剥離する区画が少ない場合は、通気面２からの通気が少なくなり、使い捨てカイロ１内部での化学反応が緩慢となるので、発熱温度が低くなる一方、発熱持続時間は長くなる。このように、非通気性シート３の区画を剥離する枚数を調整することにより、発熱温度及び発熱持続時間を自分の好みに応じて調整することができる。発熱温度を低くすることは、低温やけどを防止するために有効であり、発熱持続時間を長くすることは、使い捨てカイロの使用数量を減らすことができ、経済的効果が高くなる。
本願考案者の実験によれば、非通気性シート３の一部区画を剥離して、通気面２を全体の３分の１〜４分の１程度露出させることにより、非通気性シート３の全区画を剥離して通気面２を全面露出させた場合に比較して、発熱温度は、体温よりやや高い快適温度を維持しつつ、約２倍の３０時間程度の発熱を持続させることが確認されている。【００１１】  図２は本考案の摘み片を設けた使い捨てカイロの構造を示す説明図である。本考案は、前述の使い捨てカイロ１の非通気性シート３の各区画に摘み片５を設けたものである。非通気性シート３の裏面には接着剤を塗布して、使い捨てカイロ１の通気面２を覆って貼り付けられているが、各摘み片５の裏面には接着剤を塗布していないので、各摘み片５は、使い捨てカイロ１の表面からやや浮いた状体に貼り付けられ、指で容易に摘むことができるようになっている。各摘み片５は、非通気性シート３と同一材料を用い、製造段階で、非通気性シート３と各摘み片５は一体に形成する。【００１２】  図３は使い捨てカイロ用の発熱調整用シートの構造を示す説明図である。本考案の、使い捨てカイロ用の発熱調整用シートは、非通気性シート３を市販の使い捨てカイロの通気面に貼るための非通気性シート３であって、この非通気性シート３を複数区画に区分する切取線４を設け、かつ、この複数区画の各区画に摘み片５を設けるとともに、この摘み片５の部分を除いた非通気性シート３の裏面に粘着剤を塗布し、台紙６に再剥離可能に貼り付けたものである。
非通気性シート３は、紙又は合成樹脂フィルム等であって空気を通さない材質のものを使用し、その裏面に粘着剤を塗布して、台紙６に貼り付けるが、その粘着剤は、非通気性シート３が指によって台紙６から容易に剥離でき、市販の使い捨てカイロの通気面に貼り付けて、再剥離できる程度の接着力を有する材質のものを使用している。切取線４は、非通気性シート３を予め切断した場合は、非通気性シートを台紙６から剥離するときに各区画がバラバラになってしまうので、非通気性シート３にミシン目を入れて全体として一枚のまま剥離し、かつ、使い捨てカイロに貼り付けすることができるようにし、各区画を切り取る場合には、ミシン目で切り取ることができるようにすることが望ましい。【００１３】  本考案の使い捨てカイロ用の発熱調整用シートを使用するときは、まず市販の使い捨てカイロの通気面の保護シートを剥離して通気面を露出させ、次に非通気性シート３を台紙６から剥離して、使い捨てカイロの通気面に貼り付ける。この発熱調整用シートを貼り付けた使い捨てカイロの使い方は、前述の請求項１又は２に記載の使い捨てカイロの使用方法と同じである。
本考案の発熱調整用シートによれば、市販の使い捨てカイロの発熱温度及び発熱時間を容易に調整することができる。【００１４】  以上説明したように、本考案の使い捨てカイロ及び発熱調整用シートは、考案者の生活の知恵から生まれたもので、低温やけどに悩んだり発熱持続時間が短いという悩みを解消し、経済的にも安上がりとなり、冷え性の人や寒冷地で長時間の作業をする人にとって、福音となるものである。
【図面の簡単な説明】
【００１５】
【図１】本考案の使い捨てカイロの構造を示す説明図である。
【図２】摘み片を設けた使い捨てカイロの構造を示す説明図である。
【図３】使い捨てカイロ用の発熱調整用シートの構造を示す説明図である。
【符号の説明】
【００１６】    １  使い捨てカイロ
２  通気面
３  非通気性シート
４  切取線
５  摘み片
６  台紙
【図１】
0003140728.tif 000003
【図２】
0003140728.tif 000004
【図３】
0003140728.tif 000005